(57)【要約】【課題】  異なる方向から多数の使用者がディスプレイをみる場合でも、使用者に視覚的なストレスを与えない電子機器を提供する。【解決手段】  第1の映像データを記憶する記憶手段としての記憶部４と、第1の映像データから、前記第１の映像データに基づく映像を回転させた第２の映像データを生成する生成手段６と、１つの表示部に対し、前記両映像データを一方向及び他方向からの画面としてそれぞれ同時に表示する表示手段７と、前記表示部に対する視角に応じて、前記一方向からの画面あるいは前記他方向からの画面を可視させる画面表示制御手段８とを具備する構成になっている。【選択図】    図１
2005091561.tif 000002
【特許請求の範囲】
【請求項１】
第1の映像データを記憶する記憶手段と、
前記第1の映像データから、前記第１の映像データに基づく映像を回転させた第２の映像データを生成する生成手段と、
１つの表示部に対し、前記両映像データを一方向及び他方向からの画面としてそれぞれ同時に表示する表示手段と、
前記表示部に対する視角に応じて、前記一方向からの画面あるいは前記他方向からの画面を可視させる画面表示制御手段とを具備することを特徴とする電子機器。
【請求項２】
第1の映像データと、前前記第１の映像データに基づく映像を回転させた第２の映像データとを記憶する記憶手段と、
１つの表示部に対し、前記両映像データを一方向及び他方向からの画面としてそれぞれ同時に表示する表示手段と、
前記表示部に対する視角に応じて、前記一方向からの画面あるいは前記他方向からの画面を可視させる画面表示制御手段とを具備することを特徴とする電子機器。
【請求項３】
前記画面表示制御手段は、前記表示部に対する視角に応じて前記一方からの画面あるいは前記他方からの画面を可視させるＯＮ動作と、前記表示部に対する視角に関係なく全画面を可視させるＯＦＦ動作とを含み、
前記表示手段は、前記画面表示制御手段がＯＦＦ動作したとき、前記表示部に対し、１つの映像データを全画面として表示させることを特徴とする請求項１または請求項２に記載の電子機器。
【請求項４】
前記一方向からの画面及び前記他方向からの画面は、それぞれ前記表示部一面に表示されることを特徴とする請求項１または請求項２に記載の電子機器。
【請求項５】
前記表示手段に対して入力を行う入力手段を有し、前記入力手段による入力を行っているときは、前記画面表示制御手段をＯＦＦ動作させることを特徴とする請求項３に記載の電子機器。
【請求項６】
前記表示手段の表面に接触を感知する感知手段を有し、前記感知手段による感知が行われているときは、前記画面表示制御手段をＯＦＦ動作させることを特徴とする請求項３記載の電子機器。
【請求項７】
前記表示部は回転部を介して本体に接続され、
前記表示部と前記本体とが形成する内角が１８０度以上であるときに、前記画面表示制御手段をＯＮ動作させることを特徴とする請求項３に記載の電子機器。
【発明の詳細な説明】
【技術分野】
【０００１】
本発明は、一つの表示部を異なる方向から見ることで、少なくとも２画面以上の情報を提供できる電子機器に関する。
【背景技術】
【０００２】
従来の電子機器では、２つの表示部に同じ映像を表示し、二人以上の使用者がディスプレイを見る際に、使用者に視覚的に負担が掛からないようにすることができた（例えば特許文献１を参照）。
【特許文献１】特開２０００−７６０１２
【発明の開示】
【発明が解決しようとする課題】
【０００３】
従来の電子機器では、二人以上の使用者が１つのディスプレイを見る際に、使用者に、視覚的に負担が掛かる問題があった。具体的には、対向して位置する二人の使用者が、ノート型パソコンのディスプレイを見る場合を考えると、ディスプレイを見る方法は２つの方法が考えられる。１つの方法は、どちらか一方の使用者にディスプレイを向けて、他の使用者はそのディスプレイを逆から見る方法である。もう１つの方法は、両方の使用者が横方向からディスプレイを見る方法である。前者では、ディスプレイを逆方向から見る使用者に視覚的なストレスが作用してしまう問題があった。また、後者の方法では、両方の使用者にストレスが作用してしまう問題があった。更に、電子機器に同じ映像を表示する２つの表示部を設ける方法もあるが、このような方法では、機器の大型化を招き、持ち運びが困難であることから、特に、携帯端末、ノートパソコン、携帯電話等の携帯型の小型機器に適用することは困難であった。
【０００４】
本発明は、上述した問題点を鑑みて成され、異なる方向から多数の使用者がディスプレイを見る場合でも、使用者に視覚的なストレスを与えない電子機器を提供することを目的とする。
【課題を解決するための手段】
【０００５】
本発明は、第1の映像データを記憶する記憶手段と、前記第1の映像データから、前記第１の映像データに基づく映像を回転させた第２の映像データを生成する生成手段と、１つの表示部に対し、前記両映像データを一方向及び他方向からの画面としてそれぞれ同時に表示する表示手段と、前記表示部に対する視角に応じて、前記一方向からの画面あるいは前記他方向からの画面を可視させる画面表示制御手段とを具備することを特徴とする。従って、本発明の電子機器では、１つの表示部に対し、２つの異なる関連する画面を同時に表示することができ、複数の使用者が同時にその画面を見ることができる。更に、相対向して位置する両使用者に、同じ図柄の映像を提供することができる。
【０００６】
更に本発明は、第1の映像データと、前前記第１の映像データに基づく映像を回転させた第２の映像データとを記憶する記憶手段と、１つの表示部に対し、前記両映像データを一方向及び他方向からの画面としてそれぞれ同時に表示する表示手段と、前記表示部に対する視角に応じて、前記一方向からの画面あるいは前記他方向からの画面を可視させる画面表示制御手段とを具備することを特徴とする。従って、本発明の電子機器では、１つの表示部に対し、２つの異なる画面を同時に表示することができ、複数の使用者が同時にその画面を見ることができる。
【０００７】
更に本発明は、前記画面表示制御手段は、前記表示部に対する視角に応じて前記一方からの画面あるいは前記他方からの画面を可視させるＯＮ動作と、前記表示部に対する視角に関係なく全画面を可視させるＯＦＦ動作とを含み、前記表示手段は、前記画面表示制御手段がＯＦＦ動作したとき、前記表示部に対し、１つの映像データを全画面として表示させることを特徴とする。従って、本発明の電子機器では、表示部に対し、１画面を表示させる場合と、少なくとも２画面以上表示させる場合とを選択することができる。
【０００８】
更に本発明は、前記一方向からの画面及び前記他方向からの画面は、それぞれ前記表示部一面に表示されることを特徴とする。従って、両画面を大きく良好に見ることができる。
【０００９】
更に本発明は、前記表示手段に対して入力を行う入力手段を有し、前記入力手段による入力を行っているときは、前記画面表示制御手段をＯＦＦ動作させることを特徴とする。従って、複数の使用者が、入力手段により入力されている情報を直ちに知ることができる。
【００１０】
更に本発明は、前記表示手段の表面に接触を感知する感知手段を有し、前記感知手段による感知が行われているときは、前記画面表示制御手段をＯＦＦ動作させることを特徴とする。従って、入力手段による操作の有無を正確且つ自動的に感知することができる。
【００１１】
更に本発明は、前記表示部は回転部を介して本体に接続され、前記表示部と前記本体とが形成する内角が１８０度以上であるときに、前記画面表示制御手段をＯＮ動作させることを特徴とする。従って、ノート型パソコン等の折り畳む機構を有する電子機器にて、画面表示規制手段を自動的に作動させることができる。
【発明の効果】
【００１２】
本発明では、１つの表示部に対し、第1の映像データと、この第1の映像データとは異なる第２の映像データとを、一方向からの表示画面及び他方向として表示画面を同時に表示することができる。従って、例えば、表示部を挟んだ対峙した二人の使用者が、この表示部を見た場合でも、両者に同様の映像を提供することができる。
【００１３】
本発明では、更に、表示部に感知手段を設けて、入力手段による入力を行うことができる。そして、入力手段による入力を行っている間は、第1の映像データまたは第２の映像データの何れかのみを表示部に表示している。従って、入力手段により入力された情報を、両者が的確に知ることができる。
【発明を実施するための最良の形態】
【００１４】
以下に、本発明における一実施の形態について詳細に説明する。本発明は、例えば、ＴＶ、ＰＣ（Personal Computer）、ＰＩＣ（Personal Intelligent Communicator）、電子カメラ、ゲーム機器、カーナビゲーション等ディスプレイ画面を有する任意の電子機器に適用できるが、以下では、好適な実施の形態として、電子機器１としてのパーソナルコンピュータについて説明する。尚、本発明はこの形態に限定されるものではなく他の電子機器にも応用可能である。
【００１５】
図１を参照して、本発明の電子機器１の電気的構成を中心にして説明する。
【００１６】
本発明の電子機器１は、第1の映像データを記憶する記憶手段としての記憶部４と、第1の映像データから、第1の映像データとは異なる第２の映像データを生成する生成手段６と、１つの表示部に対し、両映像データを一方向及び他方向からの画面としてそれぞれ同時に表示する表示手段７と、表示部に対する視角に応じて、前記一方向からの画面あるいは前記他方向からの画面のみを可視できる画面表示制御手段８とを具備する構成になっている。これらの詳細を以下にて説明する。
【００１７】
記憶部４は、表示部に表示する映像である第1の映像データまたは第２の映像データを記憶する働きを有し、ＲＡＭ（Random Access Memory）等の半導体素子やハードディスクなどの記憶媒体から成る。ここで、記憶部４に記憶される映像は、ＪＰＥＧ（Joint Photographic Experts Group）等の形式で圧縮されても良い。
【００１８】
制御部２は、予め設定された情報や入力される情報に基づいて電子機器全体の制御を行う機能を有し、その中には映像処理部６を有する。映像処理部６は、圧縮された第1の映像データを展開する働きを有する。更に、映像処理部６は生成手段を有し、この生成手段により、第1の映像データから、この第1の映像データとは異なる第２の映像データを生成する。また、第２の映像データとして、記憶部４に保存されている映像データを採用する場合は、上記した生成手段を省いた構成を採用することができる。更に、映像処理部６では、この第1の映像データと第２の映像データとを合成して合成映像データを生成するが、その詳細は図２を参照して説明する。
【００１９】
表示部３は、上記した各映像データを表示する部位であり、表示手段７と、画面表示規制手段８と、入力感知手段１０とから構成されている。
【００２０】
表示手段３は、液晶ディスプレイまたはＥＬ（Electro Luminescence）ディスプレイなどで実現され、映像処理部６を介して送られてくる映像データに基づく映像を表示する。
【００２１】
画面表示制御手段８は、上記した表示手段３の上方に重畳するように配置され、表示手段３の縦方向または横方向に延在するスリット１４から構成されている。そして、画面表示制御手段８は、合成される映像データが見える方向を規制する働きを有し、その詳細に関しては、図３を参照して説明する。
【００２２】
入力感知手段１０は、上記した画面表示制御手段８の上方に重畳するように配置され、入力手段５による入力を感知する働きを有し、感知した結果は、制御部２に出力される。また、入力感知手段１０は、入力手段５の入力感知手段５への接触、または、入力手段５の入力感知手段５への接近を感知して、その結果を画面表示規制手段９に出力する。この出力に応答して、画面表示制御手段８のＯＮまたはＯＦＦが行われる。この詳細に関しては、図５のフローチャートを参照して説明する。具体的に、入力感知手段１０は、静電気を感知する手段、圧力を感知する手段、または、磁気を感知する手段等を採用することができる。また、入力感知手段１０の出力は、制御部２を介して、画面表示制御手段８に伝達されても良い。
【００２３】
入力手段５は、例えばペン型の入力デバイスであり、表示部３の表面に設けた入力感知手段１０に情報を入力する働きを有する。また、鋭利に形成された入力手段５の先端には、磁気、または、静電気を発生させる箇所を設けても良い。
【００２４】
角度感知手段１１は、ノート型パソコン等の折り曲げ機構を有する電子機器に於いて、回転部の角度をモニタリングする手段である。即ち、回転部の角度が所定の角度（例えば１８０度以上）以上になれば、デュアルモードの起動を制御部２に指示する。
【００２５】
次に、図２を参照して、２つの映像データから合成映像データを生成する方法の詳細を説明する。
【００２６】
ここで、第１および第２の映像データとは、制御部２にて合成を行う前の個々の映像データを云う。そして、一方からの画面および他方からの画面とは、合成を行った後に、スリットを介して視覚的に確認できる画面を云う。
【００２７】
本実施の形態での制御部２では、表示部３に対し、少なくとも２方向からそれぞれ表示される合成映像データを生成する。図３（Ａ）から（Ｃ）に示すように、本実施の形態の一実施例としては、例えば、映像データ合成手段では、記憶手段から図２（Ａ）に示す第1の映像データを読み出す。一方、生成手段では、デュアルビューモードの起動を認識すると、図２（Ｂ）に示す第２の映像データも読み出す。そして、生成手段では、図２（Ｃ）に示すように、第１および第２の映像データに対し、横方向、つまり、列方向において１／２間引きを行う。例えば、第１および第２の映像データの両データは、２列目、４列目、６列目と、偶数列の映像データを消去し、１列目、３列目、５列目と、奇数列の映像データを残す。
【００２８】
その後、映像データ合成手段では、１／２間引きした第１および第２の映像データを交互に組み込んで配置させる。例えば、第1の映像データの１列目の隣に、第２の映像データの１列目を配置し、その隣には、第1の映像データの３列目を配置させる。この生成手段の処理により、一方向からの画面および多方向からの画面を有するデュアルビューモード用の合成映像データが生成される。
【００２９】
尚、本実施の形態では、一度、第１および第２の映像データを読み出した後、映像データの１／２間引きを行っているが、特に、この場合に限定する必要はない。例えば、記憶部４から第１および第２の映像データを読み出す際に、映像データの１／２間引きを行っても良い。この場合には、合成処理に用いられるメモリ領域が、本実施の形態として上述した場合の半分で足りるという効果を有する。その他、合成映像データは、種々な合成方法により生成された場合でも良い。また、本実施の形態では、映像データとは静止映像データ、動画データ、文字データを含むものとする。
【００３０】
また、本実施の形態での制御部２内の画面映像制御手段では、デュアルビューモードの起動を認識すると、表示部３表面に、例えば、表示部３に対し左右方向へのスリット１４、あるいは、上下方向へのスリット１４を施す。例えば、図３（Ａ）に示すように、使用者が、Ａ地点から表示部３を覗いた場合には、スリット１４により、一方向からの画面２１のみを見ることができる。つまり、表示部３には、一方向からの画面と他方向からの画面とが、交互に表示されているが、スリット１４により、Ａ地点から覗いた使用者には、一方向からの画面が連続して見ることができる。一方、Ｂ地点から覗いた使用者には、同様に、スリット１４により、他方向からの画面が連続して見ることができる。
【００３１】
尚、本実施の形態では、表示映像制御手段はＯＮ動作及びＯＦＦ動作が切り替えられるが、表示映像制御手段はＯＮ動作状態のままであっても良い。
【００３２】
また、本実施の形態での制御部２では、表示部３に対し、２画面を同時に表示するデュアルビューモードと、１画面を表示するシングルビューモードを切り替える。具体的には、表示映像制御手段及び映像データ合成手段に対し、ＯＮ動作の信号、あるいは、ＯＦＦ動作の信号を送る。そのことで、表示部３は、所望のタイミングでデュアルビューモード、あるいは、シングルビューモードに切り替えられる。
【００３３】
図３（Ｂ）を参照して、一方向からの画面として「ａ」の図柄の映像が採用され、他方向からの画面として「ｂ」の図柄の映像が採用された場合、一方向から表示部３を眺める使用者Ａには、「ａ」の図柄が見える。そして、他方向から表示部３を眺める使用者Ｂには、「ｂ」の図柄が見える。以上が、本発明の表示部の説明である。
【００３４】
図４を参照して、本発明の電子機器の具体的な外観の一例を説明する。
【００３５】
図４（Ａ）は本発明の一実施例である電子機器としてのノート型パソコン２０の斜視図である。同図を参照して、ノート型パソコン２０は、キーボード等がその表面に装備されてハードディスク等の機器が内蔵された本体部２２と、表示手段等が内蔵される表示部３から成る。そして、本体部２２と表示部３とは、回転部２３を介して接続されている。従って、収納時では、本体部２２と表示部３とは重畳される。また、使用時では、同図に示すように、使用者の所望の角度で表示部３を立てた状態となる。ここで、本体部２２と表示部３とが形成する角度をαと表現する。また、表示部３と本体部２２とは分離可能なように構成されてもよい。
【００３６】
図４（Ｂ）を参照して、ここでは角度αが１８０度程度になり、表示部３と本体部２２とが平行になるように開いた状態となる。従って、この状態により、対峙した二人以上の使用者が、表示部３を同時に見ることができる。
【００３７】
図４（Ｃ）を参照して、同図に示す電子機器は、ペン入力式コンピュータ２５である。このペン入力式コンピュータ２５は、その表面に表示部３を有し、ハードディスク等の内蔵デバイスは、筐体内部に収納されている。そして、情報の入力は、ペン型の入力デバイスを用いて、表示部３から行うことができる。
【００３８】
図５以降を参照して、本発明の電子機器の動作を説明する。先ず、図５から図８を参照して、第1の映像データを反転させた映像を、第２の映像データとして採用した場合について、その動作を説明する。
【００３９】
先ず、電子機器１としてのコンピュータを起動させる（ステップ１）。そして、ステップ２では、表示部３と本体部２２とが形成する角度αが所定の角度以上であるか否かの判断を、角度検知手段１１により行う。ここでは、一例として角度αが１８０度以上であるか否かの判断を行って、デュアルモードとシングルモードの判断を行う。ここで、デュアルモードとは、図３に示す表示部３の状態を示し、シングルモードとは、１つの映像データが表示部３に表示される状態を示す。そして、角度αが所定の角度以上である場合（ステップＳ２のＹＥＳ）は、ステップＳ３に移行して、デュアルモードの起動を制御部２に指示する。また、角度αが所定の角度以下である場合（ステップＳ２のＮＯ）は、シングルモードのままＥＮＤに至る。
【００４０】
ステップＳ３ではデュアルモードの起動を行い、ステップＳ４では合成映像データであるデュアルビューデータの生成を行う。ここでは、合成元の２つの映像データとして、第1の映像データと、この第1の映像を上下反転させた第２の映像データを採用している。
【００４１】
図６を参照して、ステップＳ５では、スリット機能の起動を行う。そして、表示部３では、紙面上で上下方向にスリットが延在しれいる。即ち、ユーザーが整列する方向に対して垂直方向にスリットは延在している。
【００４２】
ステップＳ６では、デュアルビューデータの表示を行う。ここでは、第1のユーザーＵ１と、第２のユーザーＵ２とが、ノート型パソコン２０を挟んで対向するように位置している。そして、第1のユーザーＵ１は、本体２２側から表示部３を見ており、第２のユーザーＵ２は、表示部３側から表示部３を見ている。そして、ここでは、第1の映像の一例として図柄「ａ」が採用され、第２の映像としては上下反転した図柄「ａ」が採用される。従って、表示部３に表示されるデュアルビューデータとしては、この両者が合成された映像データとなる。このことにより、第1のユーザーＵ１は、図柄「ａ」を視覚的に認識できる。そして、第２のユーザーＵ２も、第1のユーザーＵ１と同様に、図柄「ａ」を視覚的に認識できる。従って、両ユーザともに、正確な映像データを同時に認識できるので、表示部３を用いた説明や、プレゼンテーションを円滑に行うことができる。
【００４３】
ステップＳ７では、ペン２６を感知したか否かの判断を行う。先ず、図７を参照して、ペンの感知を行うための表示部１７の構造を説明する。図７（Ａ）はノート型パソコン２０の斜視図であり、図７（Ｂ）は表示部３の断面拡大図である。
【００４４】
図７（Ｂ）を参照して、映像データを表示させる液晶パネル２１Ａの上方には、視野角を制限するためのスリット２１Ｂが積層されている。そして、スリット２１Ｂの上方にはセンサ層２１Ｃが積層されている。このセンサ層２１Ｃは、入力手段としてのペン２６の接近または接触を感知し、そのことを制御部２に電気的に知らせる働きを有する。このセンサ層２１Ｃとしては、圧力等の機械的な信号を感知するセンサ、静電気等の電気的な信号を感知するセンサ、磁力を感知するセンサ等を採用することができる。
【００４５】
ペンを感知しなかった場合（ステップＳ７のＮＯ）は、デュアルモードのまま（ステップＳ８）ＥＮＤに移行する。
【００４６】
図８（Ｂ）を参照して、ペンを感知した場合（ステップＳ７のＹＥＳ）は、ステップＳ１０に移行してシングルモードの表示を行う。同図では、元々の図柄「ａ」の横に、ペン２６を用いてウサギの顔を描く場合を想定する。ペン２６の表示部３への接近または接触により、シングルモード成り、表示部３には第1の映像、または、第２の映像のみが表示される。ここでは、ペン２６により入力を行う第1のユーザーＵ１に対して、上下方向が正しい第1の映像が表示部３に表示されている。ここで、第２のユーザーＵ２に対して、上下方向が正しい第２の映像が表示部３に表示されても良い。このように、どちらかの映像のみを映し出すことにより、両者共にペン２６による入力状況を直ちに認識することができる。
【００４７】
ステップＳ１１では、ペン２６を感知しているか否かの判断を行う。この判断は、例えば、所定の時間以上にペン２６を連続して表示部３から離間させたか否かを判断することで行うことができる。ペン２６を感知続ける場合（ステップＳ１１のＹＥＳ）は、ステップＳ１０に戻って、シングルモードを続ける。ペン２６を感知しない場合（ステップＳ１１のＮＯ）は、ステップＳ１２に移行してデュアルモードを起動させる。ここで、ペン２６を感知しない場合とは、ペン２６が表示部３から離間した場合を示す。
【００４８】
ステップＳ１３では、生成手段により、デュアルビューデータの生成を行う。具体的には、ペン２６にて入力された情報を付加した映像を基に、デュアルビューデータを生成する。そして、ステップＳ１４にてスリット機能を起動させ、ステップＳ１５でデュアルビューデータを表示する。このことで、ペン２６により情報が付加された映像を、第1のユーザーＵ１と第２のユーザーＵ２とが同時に見ることができる。そしてＥＮＤに至る。
【００４９】
上記した実施の形態では、第1の映像データと、この第1の映像データを上下反転させた第２の映像データとから、デュアルビューデータを生成したが、他の映像データの組み合わせからデュアルビューデータを作成する場合もある。例えば、第1の映像データと、この映像データとは相違する図柄の第２の映像データから、デュアルビューデータを作成する場合を、図９および図１０を参照して説明する。
【００５０】
図９に示すフローチャートの基本的な構成は、図５にて示したものと同様であり、相違点はペンを感知した場合の動作にある。以下の説明では、この相違点を中心に説明する。
【００５１】
角度検知手段１１により、表示部３と本体部２２との角度が１８０度以上に成った場合（ステップＳ２のＹＥＳ）は、デュアルモードを起動して、表示部３にデュアルビューデータを表示する（ステップＳ３からステップＳ６）。図１０（Ａ）は、表示部３にデュアルビューデータを表示した状態を示している。同図を参照して、第1のユーザーＵ１および第２のユーザーＵ２には、第１および第２の映像として、算数の問題である「２×３＝？」が表示されている。本発明の電子機器は、このように教育用の機材としても用いることができる。従って、ここでは、第1の映像データを上下反転させた映像が、第２の映像データとして採用されている。
【００５２】
ステップＳ７では、入力感知手段１０により、入力手段であるペン２６を感知したか否かの判断を行う。そして、ペン２６を感知した場合（ステップＳ７のＹＥＳ）は、デュアルビューデータの生成を行い（ステップＳ１７）、デュアルビューデータの表示を行う（ステップＳ１８）。デュアルビューデータを表示した状態を図１０（Ｂ）に示す。ここでは、第1のユーザーＵ１が見る一方向からの画面は「２×３＝６」であり、算数の問題の答えが入った映像に成っている。それに対して、第２のユーザーＵ２が見る他方からの映像は、「２×３＝？」のままであり、答えが入っていない算数の問題である。従って、第1のユーザーＵ１を教える側の人とし、第２のユーザーＵ２を教えられる側の人とし、ペン２６を表示部３に認識させることで、第２のユーザーＵ２のみがその問題の答えを知ることができる。即ち、ペン２６を表示部３に認識させるのみで、両ユーザーに異なる情報を認識させることができる。
【００５３】
その後、ペン２６を表示部３から離間させた場合（Ｓ１９のＮＯ）は、ステップＳ６に戻って、表示部３の状態は、図１０（Ａ）に示すような状態になる。即ち、第1のユーザーＵ１、第２のユーザーＵ２とが同じ図柄の映像を見ることになる。また、入力感知手段１０がペン２６を認識している間は、ステップＳ１８の表示を連続して行う。
【００５４】
上記の説明では、第1のユーザーＵ１として教える側の人間が採用され、第２のユーザーＵ２として教えられる側の人間が採用されたが、他のケースも考えられる。例えば、第1のユーザーＵ１として営業を行う人間が採用され、第２のユーザーＵ２として顧客側の人間が採用されることもできる。このことで、営業的な秘密事項を第1のユーザーＵ１側のみに表示することができる。
【００５５】
更にまた、上記の説明では、入力手段として１つのペン２６を採用したが、複数のペン２６を採用することも可能である。このことにより、ペン２６の種類に応じて、表示されるペン２６による入力情報の色や、表示される映像データを異ならせることもできる。
【００５６】
更にまた、上記説明では、第１野映像データと、この第1の映像データを反転させた第２の映像データを用いて、デュアルビューデータを生成したが、反転画像以外の画像の組み合わせから、デュアルビューデータを生成することも可能である。
【図面の簡単な説明】
【００５７】
【図１】同携帯電話機の電気的構成を説明するための概略機能ブロック図である。
【図２】デュアルビューモード画面用のデータの合成方法を説明する（Ａ）イメージ図、（Ｂ）イメージ図、（Ｃ）イメージ図である。
【図３】同携帯電話機のデュアルビューモード画面の仕組みを説明する（Ａ）イメージ図、（Ｂ）イメージ図である。
【図４】本発明の電子機器の外観を示す（Ａ）斜視図、（Ｂ）斜視図、（Ｃ）斜視図である。
【図５】本発明の電子機器の、デュアルビューモードを用いた表示方法を説明するためのフローチャートである。
【図６】本発明の電子機器の表示方法を示す平面図である。
【図７】本発明の電子機器を示す（Ａ）斜視図、（Ｂ）断面拡大図である。
【図８】本発明の電子機器の構成を示す（Ａ）平面図、（Ｂ）平面図である。
【図９】本発明の電子機器の、デュアルビューモードを用いた表示方法を説明するためのフローチャートである。
【図１０】本発明の電子機器の構成を示す（Ａ）平面図、（Ｂ）平面図である。
【符号の説明】
【００５８】
１          電子機器
２          制御部
３          表示部
４          記憶部
５          入力手段
６          映像生成手段
１１          角度検出手段
１３          デュアルビューデータ
２０          ノート型パソコン
２２          本体部
２３          回転部
２５          ペン入力式コンピュータ
Ｕ１          第1のユーザー
Ｕ２          第２のユーザー
【図１】
2005091561.tif 000003
【図２】
2005091561.tif 000004
【図３】
2005091561.tif 000005
【図４】
2005091561.tif 000006
【図５】
2005091561.tif 000007
【図６】
2005091561.tif 000008
【図７】
2005091561.tif 000009
【図８】
2005091561.tif 000010
【図９】
2005091561.tif 000011
【図１０】
2005091561.tif 000012